(57)【要約】【課題】無視される原因又は無効マークの意味が分からないユーザが、無効なキー操作を一定時間内に何度も何度も繰り返した場合に操作ガイドを明示的に表示し、ユーザに装置本体が故障したと勘違いさせないようにした記録再生装置を提供する。【解決手段】制御部４は、内蔵するカウンタのカウント値、つまり押下回数が一定値以上であるか否か判断する（ｓ８）。一定値は、例えば５回である。カウント値が一定値以上であると判断すると、制御部４は、ｓ３において時間を計測し始めてから一定時間以内か否か判断する（ｓ９）。一定時間は、例えば１０秒である。一定時間以内であると判断すると、制御部４は、記憶部６からＯＳＤ用データを読み出してＯＳＤ処理部１２に入力するとともにＯＳＤ処理部１２に指示して、操作ガイドをテレビジョン１０１にＯＳＤ表示させる（ｓ１０）。【選択図】図３
2007149188.tif 000002
【特許請求の範囲】
【請求項１】
装置本体の動作状態であるトリックプレイを選択する選択キーを有する操作手段と、
前記操作手段の前記選択キーによってトリックプレイが選択されると、その選択時に選択されたトリックプレイが実行可能であるか否かを判断し、実行可能である場合に、選択されたトリックプレイに基づいて装置本体を制御するトリックプレイ制御手段と、を備える記録再生装置において、
前記記録再生装置は、ＤＶＤレコーダであり、
映像データ又は音声データと該データの制御データとが記録された光ディスクからデータを読み出して再生を行う再生手段を備え、
前記トリックプレイ制御手段は、前記操作手段の前記選択キーによってトリックプレイが選択されると、その選択時に該選択されたトリックプレイが実行可能であるか否かを現在のトリックプレイに基づいて判断し、
前記トリックプレイ制御手段は、前記現在のトリックプレイとして前記再生手段が装置本体にセットされている光ディスクの再生を行っている際に、前記キー操作手段の前記選択キーによってトリックプレイが選択されると、前記選択されたトリックプレイが実行可能であるか否かを前記再生手段が光ディスクから読み出した制御データに基づいて判断し、
前記トリックプレイ制御手段は、実行不可能である場合に、該実行不可能なトリックプレイに係る該選択キーによるキー操作が一定時間以内に一定回数以上行われたか否かを判断し、
前記キー操作が一定時間以内に一定回数以上行われたと前記トリックプレイ制御手段が判断すると、操作ガイドを表示器にＯＳＤ表示させるＯＳＤ表示手段を備える記録再生装置。
【請求項２】
装置本体の動作状態であるトリックプレイを選択する選択キーを有する操作手段と、
前記操作手段の前記選択キーによってトリックプレイが選択されると、その選択時に選択されたトリックプレイが実行可能であるか否かを判断し、実行可能である場合に、選択されたトリックプレイに基づいて装置本体を制御するトリックプレイ制御手段と、を備える記録再生装置において、
前記トリックプレイ制御手段は、前記操作手段の前記選択キーによってトリックプレイが選択されると、その選択時に該選択されたトリックプレイが実行可能であるか否かを判断し、実行不可能である場合に、該実行不可能なトリックプレイに係る該選択キーによるキー操作が一定時間以内に一定回数以上行われたか否かを判断し、
前記キー操作が一定時間以内に一定回数以上行われたと前記トリックプレイ制御手段が判断すると、操作ガイドを表示器にＯＳＤ表示させるＯＳＤ表示手段を備えた記録再生装置。
【請求項３】
前記トリックプレイ制御手段は、前記選択されたトリックプレイが実行可能であるか否かを現在のトリックプレイに基づいて判断する請求項２に記載の記録再生装置。
【請求項４】
前記記録再生装置は、ＤＶＤレコーダであり、
映像データ又は音声データと該データの制御データとが記録された光ディスクからデータを読み出して再生を行う再生手段を備え、
前記トリックプレイ制御手段は、前記現在のトリックプレイとして前記再生手段が装置本体にセットされている光ディスクの再生を行っている際に、前記キー操作手段の前記選択キーによってトリックプレイが選択されると、前記選択されたトリックプレイが実行可能であるか否かを前記再生手段が光ディスクから読み出した制御データに基づいて判断する請求項３に記載の記録再生装置。
【発明の詳細な説明】
【技術分野】
【０００１】
本発明は、ＤＶＤ等の光ディスク又はハードディスク等の磁気記録媒体を再生する再生機能と、光ディスク又は磁気記録媒体にＡＶデータを記録する記録機能と、を単一の筐体内に備える記録再生装置に関するものである。
【背景技術】
【０００２】
従来、ＤＶＤ等の光ディスク又はハードディスク等の磁気記録媒体を再生する再生機能と、光ディスク又は磁気記録媒体にＡＶ（Audio  Visual）データ（以下、映像と音声に係るデータをＡＶデータと称するが、特に区別してないときは、ＡＶデータに制御データ等も含むとする。）を記録する記録機能と、を単一の筐体内に備える記録再生装置が各種考案されている。記録再生装置は、例えばＤＶＤレコーダ、ハードディスクレコーダ、又はパーソナルコンピュータである。
【０００３】
このような記録再生装置では、一般にリモコンの選択キーを操作することにより、再生・記録・停止・早送り・早戻し等のトリックプレイを選択するようになっている。選択キーは、例えば再生キー、録画キー、スキップキー、早送りキー、又はリピートキーである。トリックプレイは、装置本体の動作状態であり、例えば再生、記録、停止、早送り、早戻しである。
【０００４】
しかし、リモコンをキー操作する場合、キー操作がすべて有効となるわけではなく、キー操作が無効となる場合がある。この無効には、大別して２つの種類がある。
その１つは、操作が禁止されている選択キーを操作した場合である。例えば、メニュー画面が表示されている間はスキップや早送りのキー操作が禁止されている場合、メニュー画面表示中にスキップキーや早送りキーが押されると、そのキー操作は禁止操作と判定されて無効となる。また、ディスクによっては、特定の動作、例えばリピート再生が禁止されているものもあり、この場合もリピートキーのキー操作は無効となる。
もう１つは、キー操作により選択された情報が存在しなかった場合である。例えば、再生される音声の言語を選択する場合に、その言語がディスクに記録されていなければ、キー操作は選択不可操作と判定されて無効となる。また、再生音として例えばドルビーディジタル音声を選択した場合に、ディスクに記録されている音声がＰＣＭ音声であるようなときも、キー操作は選択不可操作と判定されて無効となる。
【０００５】
このようにキー操作に無効があった場合、従来の記録再生装置は、モニタの画面に無効マークを表示してユーザにキー操作が誤っていることを報知したり、キー操作を無視したりしていた。
【０００６】
一方、特許文献１に記載されたような再生装置が提案されている。
この再生装置は、装置本体のトリックプレイを選択する選択キーとヘルプキーとを有する操作手段と、該選択キーのキー操作が禁止されているキー操作である場合に、無効マークを表示する制御手段と、を備える。
上記制御手段は、無効マークを表示している際にヘルプキーが押下されると、無効マークを消去し、操作ガイドを表示する。
【特許文献１】特開２００５−９２９９７公報
【発明の開示】
【発明が解決しようとする課題】
【０００７】
しかしながら、従来の記録再生装置はキー操作を無視するため、無視される原因の分からないユーザは、同様のキー操作を何度も何度も繰り返してしまうことがあった。そして、ユーザが同様のキー操作を何度も何度も繰り返しているにも係わらず、記録再生装置がキー操作に従わないため、ユーザは記録再生装置が故障したと勘違いしてしまうという問題があった。この問題は、記録再生装置のクレームの原因になっていた。
また、従来の記録再生装置は単に無効マークを表示するだけであるため、この無効マークの意味が分からないユーザは、同様のキー操作を何度も何度も繰り返してしまうことがあった。従って、単に無効マークを表示する場合であっても、上記と同様の問題が生じていた。
さらに、慣れないユーザは、その無効マークがどういう意味なのかをすぐに分からないという問題もあった。従って、マニュアルを参照するなど多大の手間がかかっていた。
【０００８】
なお、無視される原因又は無効マークの意味が分からないユーザとは、これら原因と意味とを暗黙的に理解する日本人などの人種よりも、明示的な表現を好む人種を想定している。
【０００９】
また、特許文献１において、無効マークを表示している際にヘルプキーが押下されると、操作ガイドを表示しているが、無効マークの意味が分からないユーザは、ヘルプキーの存在に気付かない、又は該キーの意味が分からないため、ヘルプキーを押下しない。無効マークの意味が分からないユーザは、上述のように同様のキー操作を何度も何度も繰り返すのが一般的である。よって、特許文献１においても、上記従来の記録再生装置と同様の問題が生じる。
【００１０】
本発明はこのような従来の課題を解決しようとするものであり、無視される原因又は無効マークの意味が分からないユーザが、無効なキー操作を一定時間内に何度も何度も繰り返した場合に操作ガイドを明示的に表示し、ユーザに装置本体が故障したと勘違いさせないようにした記録再生装置を提供することを目的とする。
【課題を解決するための手段】
【００１１】
本発明の記録再生装置は、前記課題を解決するために以下の構成を備えている。
【００１２】
（１）装置本体の動作状態であるトリックプレイを選択する選択キーを有する操作手段と、
前記操作手段の前記選択キーによってトリックプレイが選択されると、その選択時に選択されたトリックプレイが実行可能であるか否かを判断し、実行可能である場合に、選択されたトリックプレイに基づいて装置本体を制御するトリックプレイ制御手段と、を備える記録再生装置において、
前記トリックプレイ制御手段は、前記操作手段の前記選択キーによってトリックプレイが選択されると、その選択時に該選択されたトリックプレイが実行可能であるか否かを判断し、実行不可能である場合に、該実行不可能なトリックプレイに係る該選択キーによるキー操作が一定時間以内に一定回数以上行われたか否かを判断し、
前記キー操作が一定時間以内に一定回数以上行われたと前記トリックプレイ制御手段が判断すると、操作ガイドを表示器にＯＳＤ表示させるＯＳＤ表示手段を備える。
【００１３】
この構成において、記録再生装置は、例えばＤＶＤレコーダ、ハードディスクレコーダ、又はパーソナルコンピュータである。トリックプレイは、装置本体の動作状態であり、例えば再生、記録、停止、早送り、又は早戻しである。選択キーは、例えば再生キー、録画キー、スキップキー、早送りキー、又はリピートキーである。
また、一定回数は、例えば５回、又は１０回である。一定時間は、例えば５秒、又は１０秒である。
また、表示器は、例えば装置本体内蔵の表示部、装置本体外付けのテレビジョン、装置本体外付けのモニタである。操作ガイドは、例えばキー操作が無効である旨、無効である理由、その無効を解消するための操作案内である。
上記トリックプレイ制御手段は、上記選択されたトリックプレイが実行可能であれば、選択されたトリックプレイに基づいて装置本体を制御する。一方、上記選択されたトリックプレイが実行不可能であれば、該トリックプレイを無視又は無効マークを表示器にＯＳＤ表示する。
そして、上記トリックプレイ制御手段は、選択されたトリックプレイに係るキー操作が一定時間以内に一定回数以上行われたか否か判断する。
キー操作が一定時間以内に一定回数以上行われる場面とは、無視される原因又は無効マークの意味が分からないユーザが、（場合によってはイライラして）同様のキー操作を何度も何度も繰り返してしまう場面を想定している。
なお、無視される原因又は無効マークの意味が分からないユーザとは、これら原因と意味とを暗黙的に理解する日本人などの人種よりも、明示的な表現を好む人種を想定している。
上記キー操作が一定時間以内に一定回数以上行われたと上記トリックプレイ制御手段が判断すると、ＯＳＤ表示手段は、操作ガイドを表示器にＯＳＤ表示する。これにより、ユーザは、キー操作が無効であること、無効である理由、その無効を解消するための操作を知ることができ、少なくとも装置本体が故障したと勘違いすることがなくなる。
以上より、操作ガイドを明示的に表示することで、無視される原因又は無効マークの意味が分からないユーザであっても、装置本体が故障したと勘違いすることがなくなるという効果を奏する。従って、勘違いが原因によるクレーム数を減少させることができるという効果も奏する。
【００１４】
（２）前記トリックプレイ制御手段は、前記選択されたトリックプレイが実行可能であるか否かを現在のトリックプレイに基づいて判断する。
【００１５】
（３）前記記録再生装置は、ＤＶＤレコーダであり、
映像データ又は音声データと該データの制御データとが記録された光ディスクからデータを読み出して再生を行う再生手段を備え、
前記トリックプレイ制御手段は、前記現在のトリックプレイとして前記再生手段が装置本体にセットされている光ディスクの再生を行っている際に、前記キー操作手段の前記選択キーによってトリックプレイが選択されると、前記選択されたトリックプレイが実行可能であるか否かを前記再生手段が光ディスクから読み出した制御データに基づいて判断する。
【００１６】
この構成において、制御データとは、例えばＤＶＤのＶＴＳＩ及びＶＯＢＵに記述されているキー操作有効無効制御情報（UOP  CTL）である。
上記トリックプレイ制御手段は、ＤＶＤに記録されている制御データを利用した判断を行っている。そのため、再生において、上記（２）と比し、例えばドルビーディジタル音声を選択した場合であって、光ディスク１００に記録されている音声がＰＣＭ音声であるような場合に、キー操作は選択不可操作と判断できるといった細かな判断が可能となる。
【発明の効果】
【００１７】
この発明によれば、無視される原因又は無効マークの意味が分からないユーザであっても、操作ガイドを明示的に表示することで、装置本体が故障したと勘違いすることがなくなるという効果を奏する。
【発明を実施するための最良の形態】
【００１８】
以下、本発明の実施形態である光ディスク装置について説明する。
【００１９】
図１は、本発明の実施形態である光ディスク装置の主要な構成を示すブロック図である。
光ディスク装置１は、所謂ＤＶＤレコーダであり、装置本体１を制御する制御部４と、光ディスク１００に対しデータの記録や読取を行うピックアップヘッド２（以下、PUヘッド２と称する。）と、RFアンプなどの記録再生部３と、録音キーまたは録画キー等の選択キーが設けられている操作部５と、情報を表示する表示部７と、データを記憶する記憶部６と、音声データをアナログの再生音声信号に変換するＤ／Ａコンバータ１１と、映像データをアナログの再生映像信号に変換する映像処理部１３と、デコードされた映像信号に基づく映像にＯＳＤ画像を重ね合わせた合成映像を生成するＯＳＤ処理部１２と、ＴＶ放送信号を受信してＡＶ（オーディオビジュアル）データを取得するＡ／Ｄ変換回路１０と、を備えている。
【００２０】
PUヘッド２は、図示しないレーザダイオード（ＬＤ）、コリメータレンズ、ビームスプリッタ、対物レンズ、フォトディテクタ、スレッドモータ、及び２軸のアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、２軸のアクチュエータは、対物レンズを光ディスク１００に接離する方向、及び光ディスク１００の半径方向に移動させる。
【００２１】
まず、再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
記録再生部３は、ＰＵヘッド２における複数の受光素子の出力に基づいてＲＦ信号を生成し、該ＲＦ信号を増幅する。そして、記録再生部３は、該ＲＦ信号を処理して映像と音声のデータを取り出し、デコードする。ここで、取り出される映像と音声のデータは、例えばＭＰＥＧでエンコードされている。そして、記録再生部３は、音声データをＤ／Ａコンバータ１１に、映像データをＯＳＤ処理部１２に、両データの同期を取りながら、それぞれ出力する。
Ｄ／Ａコンバータ１１は、伸長された音声データをアナログの再生音声信号に変換し、その再生音声信号を外部のテレビジョン１０１に出力する。
なお、テレビジョン１０１がディジタル対応であれば、ディジタルで出力しても構わない。
【００２２】
ＯＳＤ処理部１２は、制御部４から伝送される制御信号に基づいて、映像データをスルーして直接出力する場合と、映像データに基づく映像にＯＳＤ画像を重ね合わせた合成映像を生成してその合成映像データを出力する場合と、ＯＳＤ画像だけのＯＳＤ画像データを出力する場合（非再生時）とで動作を切り替える。
ＯＳＤ処理部１２は、記憶部６に記憶されているＯＳＤ用データを用いてＯＳＤ画像を生成する。このＯＳＤ画像は、後述の図３ｓ１０において、テレビジョン１０１にＯＳＤ表示する操作ガイドである。操作ガイドは、例えばキー操作が無効である旨、無効である理由、その無効を解消するための操作案内である。
映像処理部１３は、入力された映像データ、ＯＳＤ画像データまたは合成映像データをアナログの再生映像信号に変換し、外部のテレビジョン１０１に出力する。
なお、テレビジョン１０１がディジタル対応であれば、ディジタルで出力しても構わない。
【００２３】
Ｄ／Ａコンバータ１１及び映像処理部１３には、テレビジョン１０１が接続され、ユーザは、このテレビジョン１０１において、Ｄ／Ａコンバータ１１及び映像処理部１３から出力された映像信号に基づく映像、及び音声信号に基づく音声を視聴することができる。
【００２４】
次に、記録時の動作について説明する。
Ａ／Ｄ変換回路１０は、所謂チューナ等の受信部であり、ＴＶ放送等のアンテナから選択されているＴＶ放送信号を抽出して、ディジタル化し、出力する。データが入力されてくる場合もある。
そして、記録再生部３は、入力されたデータを（例えば、ＭＰＥＧで）エンコードし、ディジタル信号をＰＵヘッド２に出力する。該入力されたデータには、ＡＶ（オーディオビジュアル）データが含まれる。
そして、ＰＵヘッド２は、記録再生部３からディジタル信号が入力されると、このディジタル信号に応じて記録パワーのレーザ光を制御し、光ディスク１００の記録面に照射する。
なお、記録時においても上記ＯＳＤ表示を行う。
この場合、ＯＳＤ処理部１２は、ＯＳＤ画像だけのＯＳＤ画像データを出力し、映像処理部１３は、アナログの再生映像信号に変換し、外部のテレビジョン１０１に出力する。
【００２５】
操作部５は、ユーザが光ディスク装置１に対して各種の命令（コマンド）を入力するためのものであり、選択キーを含む複数のキーが設けられている。光ディスク装置１に対してユーザが入力したコマンドは制御部４に伝送される。
この選択キーは、数種のトリックプレイを選択するキーであり、例えば再生キー、録画キー、スキップキー、早送りキー、又はリピートキーである。
【００２６】
記憶部６は、例えばＥＥＰＲＯＭで構成されており、装置本体１の主制御プログラムを記憶する。さらに、記憶部６は、上述の操作ガイドのもととなるＯＳＤ用データを記憶する。
【００２７】
表示部７は、時刻、光ディスク装置１の設定状態などを表示する。
制御部４は、例えばマイクロコンピュータで構成されており、光ディスク装置１にユーザから入力された命令に応じて光ディスク装置１の各部を制御する。また、制御部４は、後述のｓ３、ｓ５、及びｓ９において時間を計測するタイマー（不図示）と、後述のｓ４及びｓ７において無効キーの押下回数をカウントするカウンタ（不図示）と、を内蔵する。
【００２８】
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っているが、本発明の実施形態では図示を省略している。
【００２９】
ここで、表示部７及びテレビジョン１０１が、本発明の「表示器」に相当する。また、ＰＵヘッド２、記録再生部３、Ｄ／Ａコンバータ１１及び映像処理部１３が、本発明の「再生手段」に相当する。また、制御部４が、本発明の「トリックプレイ制御手段」に相当する。また、ＯＳＤ処理部１２及び映像処理部１３が、本発明の「ＯＳＤ表示手段」に相当する。光ディスク装置１が、本発明の「記録再生装置」に相当する。
【００３０】
図２は、ＤＶＤ−Ｖideoフォーマットで記録された光ディスク上のデータのデータ構造を示す図である。ＤＶＤ−Ｖideoフォーマットで記録された光ディスク１００上には、図２（イ）に示すように、その内周から外周にかけてVMGI、VMGM_VOBS、タイトル１〜３が記録されている。
VMGI(Video  Manager  Information)は、ＤＶＤ−Ｖideo全体の再生関連情報（制御情報）、いわゆるルートメニューの情報が記述されている。例えば、ＶＴＳＩのアドレス情報等もここに記述されている。
VMGM_VOBS(Video  Object  Set  for  VMG  Menu)は、タイトルメニューで使用するコンテンツが記述されている。ＶＴＳＩのアドレス情報等を含むＤＶＤ−Ｖideo全体の再生関連情報（制御情報）が記述される場合もある。
VMGIbupは、VMGIのバックアップファイルである。
以下、ＶＭＧと言う時は、VMGI又はVMGM_VOBSを指す。
【００３１】
また、タイトルは、ＶＴＳＩ（Ｖideo  Ｔitle  Ｓet  Ｉnformation）とＶＯＢＳ（Ｖideo  Ｏbject  Ｓet）とＶＴＳＩbupとから構成されており（図２（イ）参照）、最大９９タイトルまで収録が可能である。図２（イ）では、３タイトル収録されている。
【００３２】
ＶＴＳＩは、そのＶＴＳに対する制御情報が記述されている。
ＶＯＢＳは、タイトル再生のためのコンテンツが記述されており、図２（ロ）に示すように、複数のセルから構成されている。図２（ロ）の＃ｎは、セルの番号である。
なお、ＶＯＢＳとＶＴＳとは、同じものを表す。
ＶＴＳＩbupは、ＶＴＳＩのバックアップファイルが記述されている。
ここで、ＶＴＳＩ、ＶＯＢＳ、及びＶＴＳＩbupの＃１〜３は、タイトルの番号に対応している。
【００３３】
ＤＶＤ−Ｖideoフォーマットにおいて、データは、予め決められたセル単位で記録される。
セルは、複数のＶＯＢＵ（Ｖideo  Ｏbject  Ｕnit）で構成される（図２（ハ）参照）。図２（ハ）の＃ｍは、ＶＯＢＵの番号である。１タイトルのセルの最大数は２５５セルである。そのため、光ディスクに１０時間分のデータを記録する場合、１セルは、例えば２分３０秒である。
ここで、１セルで１０時間分のデータを記録してもよいが、セルの再生時間をＮＶ＿ＰＣＫに書く必要があるため、セルを一旦光ディスク１００に記録し始めると、ユーザが録画停止してもセルを記録し終えるまで記録を停止することができない。よって、利便性を考えると、１セルは、２分３０秒くらいの時間が望ましい。
【００３４】
ＶＯＢＵは、先頭にＮＶ＿ＰＣＫ（Ｎavigatyion  Ｐack）が置かれ、続いてビデオデータやオーディオデータ（ＡＶデータ）などがパック化されて挿入される（図２（ニ）参照）。
ここで、現在のＶＯＢＵを記録するのに、現在のＶＯＢＵの後に記録する複数個のＶＯＢＵの先頭アドレスやセルの再生時間などを、現在のＶＯＢＵ中のＮＶ＿ＰＣＫに書き込必要がある。
上記ＶＴＳＩ及びＶＯＢＵには、キー操作有効無効制御情報（UOP  CTL）が記述されている。キー操作有効無効制御情報とは、複数のキー操作のそれぞれについてその操作が禁止されているか、許可されているかを記述したデータである。ＶＴＳＩには、対応するＶＴＳ単位のキー操作有効無効制御情報が記述され、ＶＯＢＵには、対応するＶＯＢＵ単位、つまり再生時において０．４秒から１秒単位のキー操作有効無効制御情報が記述されている。
【００３５】
ここで、キー操作有効無効制御情報が、本発明の「制御データ」に相当する。
【００３６】
図３は、本発明の実施形態である光ディスク装置における録画キー又は再生キー押下時に制御部が行う動作を示すフローチャートである。図３で示されているメインルーチンは、上記主制御プログラムに関連する（プレインストールされている）ルーチンであり、録画キー又は再生キーの押下により、主制御プログラムからコールされる。
録画キー又は再生キーが押下されると、それがトリガとなり、制御部４は、図３で示されているメインルーチンを実行し、以下の動作を行う。
【００３７】
まず、制御部４は、録画又は再生を行うため、装置本体１各部の制御を実行する（ｓ１）。これにより、録画又は再生が行われる。
なお、この実施形態では、トリックプレイを代表して録画又は再生を例にして説明しているだけである。これに限定されるものではない。また、録画キー又は再生キーの押下がトリガとなっているが、予約録画されている場合において予約録画の開始時間になった場合も当然にトリガとして構わない。
【００３８】
録画又は再生が行われている間、制御部４は、選択キーによってトリックプレイが選択され、その選択時に選択されたトリックプレイが実行可能であるか否かを判断する（ｓ２＆ｓ１１）。
詳述すると、制御部４は、まず選択キーがキー操作を禁止されている１回目の無効キーであるか否か判断する（ｓ２）。つまり１回目の無効キーを押下したか否か判断している。１回目としているのは、後述のｓ６におけるＮ回目（Ｎ≧２）の無効キーと区別する趣旨である。無効キーで無い場合やキーが押下されていない場合、制御部４は、選択キーがキー操作を禁止されていない有効キーであるか否か判断する（ｓ１１）。有効キーで無い場合やキー操作されていない場合、ｓ２に進み処理を継続する。つまり、キー操作が何らなされていない場合、制御部４は、録画又は再生が行われている間、ｓ２とｓ１１の判断を繰り返すことになる。ここで、実行不可能なトリックプレイに係る選択キーを無効キーとし、実行可能なトリックプレイに係る選択キーを有効キーとする。
【００３９】
ｓ２＆ｓ１１では、選択されたトリックプレイが実行可能であるか否かを現在のトリックプレイに基づいて判断される。例えば、装置本体１が光ディスク１００に対しデータの記録を行っている場合、現在のトリックプレイは、「記録」である。この場合、選択されたトリックプレイが「再生」であれば、「再生」に係る選択キーである再生キーは、無効キーである。逆に、選択されたトリックプレイが「停止」であれば、「停止」に係る選択キーである停止キーは、有効キーである。
さらに、ｓ２＆ｓ１１では、現在のトリックプレイとして装置本体１において光ディスク１００の再生が行われている場合において、選択キーによってトリックプレイが選択されると、制御部４は、選択されたトリックプレイが実行可能であるか否かを光ディスク１００から読み出したキー操作有効無効制御情報（図２参照）に基づいて判断する。例えば、再生される音声の言語を選択する場合に、その言語が光ディスク１００に記録されていなければ、キー操作は選択不可操作と判断する。また、再生音として例えばドルビーディジタル音声を選択した場合に、光ディスク１００に記録されている音声がＰＣＭ音声であるようなときも、キー操作は選択不可操作と判断する。
【００４０】
ｓ１１において、選択キーが押下され、それが有効キーであると判断した場合、制御部４は、その有効キーに係るトリックプレイを実行し（ｓ１２）、本処理を終了する。これにより、制御部４は、ユーザが選択キーにより選択したトリックプレイに基づいて装置本体を制御する。
【００４１】
ｓ２において、選択キーが押下され、それが無効キーであると判断した場合、制御部４は、内蔵するタイマーによって、時間を計測し始める（ｓ３）とともに、内蔵するカウンタにおいて押下回数を＋１する（ｓ４）。
なお、この実施形態では、制御部４が無効キーを無視する構成にしているが、記憶部６から無効マークのもととなるＯＳＤ用データを予め記憶させ、このデータを読み出してＯＳＤ処理部１２に入力するとともにＯＳＤ処理部１２に指示して、無効マークをテレビジョン１０１にＯＳＤ表示させても構わない。
【００４２】
次に、制御部４は、ｓ３において時間を計測し始めてから一定時間以内か否か判断する（ｓ５）。一定時間は、例えば１０秒であり、５秒でも構わない。制御部４は、一定時間を超過したと判断すると、内蔵するカウンタのカウント値をリセットし（ｓ１３）、ｓ２に進み処理を継続する。これにより、連動する後述ｓ６のＮも２にリセットされる。この「一定時間を超過した」場合とは、ユーザがミスで無効キーを１回又は２、３回押下した場面を想定している。
【００４３】
一方、制御部４は、一定時間以内であると判断すると、ｓ６及びｓ１４において、選択キーによってトリックプレイが選択され、その選択時に選択されたトリックプレイが実行可能であるか否かを判断する（ｓ６＆ｓ１４）。この判断は、ｓ２及びｓ１１と同様の判断である。
詳述すると、制御部４は、まず選択キーがキー操作を禁止されているＮ回目（Ｎ≧２）の無効キーであるか否か判断する（ｓ６）。つまり無効キーを再び押下したか否か判断している。このＮは、２からスタートする数であり、ｓ７のカウント値増加の度に１増加する数である。このＮは、原則カウント値より１多い数であり、ｓ７のカウント値増加と連動している。Ｎ回目（Ｎ≧２）としているのは、ｓ２における１回目の無効キーと区別する趣旨である。無効キーで無い場合や押下されていない場合、制御部４は、選択キーがキー操作を禁止されていない有効キーであるか否か判断する（ｓ１４）。有効キーで無い場合やキー操作されていない場合、ｓ５に進み処理を継続する。つまり、キー操作が何らなされていない場合、制御部４は、録画又は再生が行われている間、ｓ６とｓ１４の判断を繰り返すことになる。
【００４４】
ｓ１４において、選択キーが押下され、それが有効キーであると判断した場合、制御部４は、その有効キーに係るトリックプレイを実行し（ｓ１５）、本処理を終了する。これにより、制御部４は、ユーザが選択キーにより選択したトリックプレイに基づいて装置本体１を制御する。ｓ１５は、ｓ１２と同様の処理である。
【００４５】
ｓ６において、選択キーが押下され、それが無効キーであると判断した場合、制御部４は、内蔵するカウンタにおいて押下回数を＋１する（ｓ７）。
制御部４は、内蔵するカウンタのカウント値、つまり押下回数が一定値以上であるか否か判断する（ｓ８）。一定値は、例えば５回である。
ｓ８及びｓ９では、実行不可能なトリックプレイに係る選択キー、つまり無効キーによるキー操作が一定時間以内に一定回数以上行われたか否かを判断している。
【００４６】
ｓ８においてカウント値が一定値未満であると判断すると、制御部４は、ｓ６に戻り処理を継続する。
【００４７】
一方、カウント値が一定値以上であると判断すると、制御部４は、ｓ３において時間を計測し始めてから一定時間以内か否か判断する（ｓ９）。この一定時間は、例えば１０秒であり、ｓ５の一定時間と同一の時間である。
【００４８】
一定時間を超過したと判断すると、制御部４は、内蔵するカウンタのカウント値をリセットし（ｓ１６）、ｓ２に進み処理を継続する。これにより、連動するｓ６のＮも２にリセットされる。
【００４９】
一方、一定時間以内であると判断すると、制御部４は、記憶部６からＯＳＤ用データを読み出してＯＳＤ処理部１２に入力するとともにＯＳＤ処理部１２に指示して、操作ガイドをテレビジョン１０１にＯＳＤ表示させ（ｓ１０）、本処理を終了する。操作ガイドは、例えばキー操作が無効である旨、無効である理由、その無効を解消するための操作案内である。これにより、ユーザは、キー操作が無効であること、無効である理由、その無効を解消するための操作を知ることができ、少なくとも装置本体１が故障したと勘違いすることがなくなる。
【００５０】
なお、キー操作が一定時間以内に一定回数以上行われる場面とは、無視される原因又は無効マークの意味が分からないユーザが、（場合によってはイライラして）同様のキー操作を何度も何度も繰り返してしまう場面を想定している。
また、無視される原因又は無効マークの意味が分からないユーザとは、これら原因と意味とを暗黙的に理解する日本人などの人種よりも、明示的な表現を好む人種を想定している。
【００５１】
このように、操作ガイドを明示的に表示することで、無視される原因又は無効マークの意味が分からないユーザであっても、装置本体１が故障したと勘違いすることがなくなるという効果を奏する。従って、勘違いが原因によるクレーム数を減少させることができるという効果も奏する。
なお、この実施形態では、光ディスク装置１で説明しているが、例えばハードディスクレコーダ、又はパーソナルコンピュータでも良く、光ディスク装置１と同様の効果を奏する。
【図面の簡単な説明】
【００５２】
【図１】本発明の実施形態である光ディスク装置の主要な構成を示すブロック図
【図２】ＤＶＤ−Ｖideoフォーマットで記録された光ディスク上のデータのデータ構造を示す図
【図３】本発明の実施形態である光ディスク装置における録画キー又は再生キー押下時に制御部が行う動作を示すフローチャート
【符号の説明】
【００５３】
１−光ディスク装置
２−PUヘッド
３−記録再生部
４−制御部
５−操作部
６−記憶部
７−表示部
１０−Ａ／Ｄ変換回路
１１−Ｄ／Ａコンバータ
１２−ＯＳＤ処理部
１３−映像処理部
１００−光ディスク
１０１−テレビジョン
【図１】
2007149188.tif 000003
【図２】
2007149188.tif 000004
【図３】
2007149188.tif 000005